(57)【要約】【課題】映像データの伝送に使用されるネットワークの活動状態に左右されずに他のデータの伝送を可能とする映像伝送システムを提供する。【解決手段】カメラ機器は、第１の映像データを生成する撮像部、接続しているネットワークの通信可能な帯域の変動を検出する検出部、検出部の検出結果に基づいて第１の映像データの圧縮率を変更する圧縮部、圧縮部からの圧縮された第１の映像データをネットワークへ送信する通信部を備える。サーバーは、ネットワークから圧縮された第１の映像データを受信する受信部を備える。カメラ機器は、圧縮部の圧縮率を増加させ、ネットワークの通信可能な帯域を空け、ネットワークに空けられた帯域は、第１の映像データ以外のデータの通信に使われる。【選択図】図５
2018088674.tif 000002
【特許請求の範囲】
【請求項１】
第１の映像データをネットワークを介して送信するカメラ機器と、
前記第１の映像データを前記ネットワークから受信するサーバーと、
を備える映像伝送システムにおいて、
前記カメラ機器は以下の構成（１）〜（４）を備え、
（１）前記第１の映像データを生成する撮像部、
（２）前記ネットワークの通信可能な帯域の変動を検出する検出部、
（３）前記検出部の検出結果に基づいて前記第１の映像データの圧縮率を変更する圧縮部、
（４）前記圧縮部からの圧縮された前記第１の映像データを前記ネットワークへ送信する通信部、
前記サーバーは以下の構成（５）を備え、
（５）前記ネットワークから圧縮された前記第１の映像データを受信する受信部、
前記カメラ機器は、前記圧縮部の圧縮率を増加させ、前記ネットワークの通信可能な帯域を空け、
前記ネットワークに空けられた帯域は、前記第１の映像データ以外のデータの通信に使われる、映像伝送システム。
【請求項２】
請求項１に記載の映像伝送システムにおいて、
前記サーバーは、前記カメラ機器のファームアップデートが必要か否かを判断するサーバー制御部をさらに備え、
前記圧縮部の圧縮率を増加させる指示は、前記サーバーの前記サーバー制御部からの前記カメラ機器のファームアップデートが必要であるという情報により行われ、
前記第１の映像データ以外の前記データは、前記サーバーからの前記カメラ機器のファームアップデート用データである、映像伝送システム。
【請求項３】
請求項１に記載の映像伝送システムにおいて、
前記カメラ機器もしくは前記サーバーは、前記第１の映像データとは異なる第２の映像データを記録する記録部をさらに備え、
前記第１の映像データ以外のデータ前記データは、前記カメラ機器もしくは前記サーバーからの前記第２の映像データであり、
前記ネットワークの通信は、前記第１の映像データよりも前記第２の映像データの方が優先される、映像伝送システム。
【発明の詳細な説明】
【技術分野】
【０００１】
本開示は、撮影装置とサーバーを用いた映像伝送システムに関する。
【背景技術】
【０００２】
特許文献１は、ネットワークを介するファームウェアアップデートのシステム及び方法を開示する。このシステムは、ネットワーク帯域をモニタリングするモニタリング部と、ネットワーク帯域の閾値レベルを計算する計算部と、閾値を下回ったかを判断する判断部を備える。これにより、ネットワーク帯域が閾値レベルを下回ったときに、他のネットワーク活動を阻害しないようにファームウェアのアップデートを実施することができる。
【先行技術文献】
【特許文献】
【０００３】
【特許文献１】特許第４７１１５８６号公報
【発明の概要】
【発明が解決しようとする課題】
【０００４】
本開示は、映像伝送システムにおいて、映像伝送に使用されるネットワークの活動状態に左右されずに他のデータ伝送を可能とする映像伝送システムを提供する。
【課題を解決するための手段】
【０００５】
本開示における映像伝送システムは、第１の映像データをネットワークを介して送信するカメラ機器と、第１の映像データをネットワークから受信するサーバーと、を備える映像伝送システムである。カメラ機器は以下の構成（１）〜（４）を備える。（１）第１の映像データを生成する撮像部。（２）ネットワークの通信可能な帯域の変動を検出する検出部。（３）検出部の検出結果に基づいて第１の映像データの圧縮率を変更する圧縮部。（４）圧縮部からの圧縮された第１の映像データをネットワークへ送信する通信部。サーバーは以下の構成（５）を備える。（５）ネットワークから圧縮された第１の映像データを受信する受信部。カメラ機器は、圧縮部の圧縮率を増加させ、ネットワークの通信可能な帯域を空け、ネットワークに空けられた帯域は、第１の映像データ以外のデータの通信に使われる。
【発明の効果】
【０００６】
本開示における映像伝送システムは、映像伝送を行いつつ、伝送中の映像データ以外のデータを優先的に送信する場合において有効である。
【図面の簡単な説明】
【０００７】
【図１】実施の形態１における映像伝送システムのシステム構成を示す模式図
【図２】実施の形態１における撮影装置の構成を示すブロック図
【図３】実施の形態１におけるサーバーの構成を示すブロック図
【図４】実施の形態１におけるネットワーク帯域の変動を示したグラフ
【図５】実施の形態１における撮影装置とサーバーの動作を説明するためのフローチャート
【図６】実施の形態２における撮影装置とサーバーの動作を説明するためのフローチャート
【図７】実施の形態３における撮影装置とサーバーの動作を説明するためのフローチャート
【図８】実施の形態４における撮影装置とサーバーの動作を説明するためのフローチャート
【図９】その他の形態における映像伝送システムのシステム構成を示す模式図
【発明を実施するための形態】
【０００８】
以下、適宜図面を参照しながら、実施の形態を詳細に説明する。但し、必要以上に詳細な説明は省略する場合がある。例えば、既によく知られた事項の詳細説明や実質的に同一の構成に対する重複説明を省略する場合がある。これは、以下の説明が不必要に冗長になるのを避け、当業者の理解を容易にするためである。
【０００９】
なお、添付図面および以下の説明は、当業者が本開示を十分に理解するために、提供されるのであって、これらにより特許請求の範囲に記載の主題を限定することは意図されていない。
【００１０】
（実施の形態１）
以下、図１〜５を用いて、実施の形態１を説明する。
【００１１】
［１−１．構成］
［１−１−１．ネットワーク接続構成］
図１は、実施の形態１における映像伝送システム１０のシステム構成を示す模式図である。図１は、複数の撮影装置１２０がネットワーク１００に接続され、サーバー１１０が各々の撮影装置１２０で撮影した映像を受信する際の状態を示す。各々の撮影装置１２０は、有線ネットワークや無線ネットワークを利用してネットワーク１００などを介してサーバー１１０と接続可能である。撮影装置１２０の具体例は、例えばモバイルカメラである。
【００１２】
［１−１−２．撮影装置の構成］
実施の形態１に係る撮影装置の構成について図２を用いて説明する。図２は、実施の形態１における撮影装置の構成を示すブロック図である。撮影装置１２０は、被写体像を撮像して映像データ（「画像データ」と称する場合がある）を生成するＣＣＤ１３０と、ＣＣＤ１３０で生成された映像データをデジタル変換するＡ／Ｄコンバータ１４０と、Ａ／Ｄコンバータ１４０でデジタル変換された映像データをコーディック変換する圧縮部１５０と、圧縮部１５０で圧縮された映像データをネットワーク１００を介してサーバー１１０に送信する送受信部１６０を有する。また、撮影装置１２０は、サーバー１１０によって送られたビットレート情報を送受信部１６０から取得し、圧縮部１５０に圧縮率を指示するＣＰＵ１７０を有する。撮影装置１２０はカメラ機器の一例である。以下、撮影装置１２０の構成を詳細に説明する。
【００１３】
ＣＣＤ１３０は、被写体像を撮像して、画像データを生成する。ＣＣＤ１３０は、カラーフィルタと、受光素子と、ＡＧＣ（Ａｕｔｏ  Ｇａｉｎ  Ｃｏｎｔｒｏｌｌｅｒ）とを含む。受光素子は、光学系によって集光された光学的信号を電気信号に変換し、画像情報を生成する。ＡＧＣは、受光素子から出力された電気信号を増幅する。
【００１４】
Ａ／Ｄコンバータ１４０（アナログ−デジタル変換器）は、ＣＣＤ１３０で生成されたアナログ画像データをデジタル画像データに変換する。
【００１５】
圧縮部１５０は、Ａ／Ｄコンバータ１４０で変換されたデジタル画像データに対して、ＣＰＵ１７０の制御を受け、Ｈ．２６４規格やＨ．２６５規格に準拠した圧縮形式等により圧縮する。また、圧縮する際の圧縮率である上限ビットレートは、ＣＰＵ１７０から指示される。
【００１６】
送受信部１６０は、無線部１８０を介して無線ネットワークと接続し、データの送受信を行う。送受信部１６０及び無線部１８０は通信部を構成する。
【００１７】
最大帯域検出部１９０は、サーバー１１０によって送られたビットレート情報から撮影装置１２０が伝送可能な最大の帯域を決定する。最大帯域検出部１９０は検出部の一例である。
【００１８】
ＣＰＵ１７０は、最大帯域検出部１９０が決定した撮影装置１２０が伝送可能な最大の帯域情報を取得し、圧縮部１５０に対して、伝送可能な最大の帯域で圧縮するように指示を行う。ＣＰＵ１７０は、カメラ制御部の一例である。
【００１９】
入力部２００は、ユーザーの指示を受け付ける機能を有する。例えば、ボタンやタッチパネルなどがある。
【００２０】
［１−１−３．サーバーの構成］
実施の形態１に係るサーバーの構成について図３を用いて説明する。図３は、実施の形態１におけるサーバーの構成を示すブロック図である。サーバー１１０は、ネットワーク１００を介して、撮影装置１２０とデータ送受信を行う送受信部２１０と、送受信部２１０から受信した映像データの受信状況を元に、伝送ビットレートを決定し、送受信部２１０を介して撮影装置１２０へビットレート情報を送信指示するＣＰＵ２２０と、撮影装置１２０から受信した映像データをデコードする伸長部２３０と、第２の映像データが格納されるメモリ２４０を有する。以下、サーバー１１０の構成を詳細に説明する。メモリ２４０は記録部の一例である。
【００２１】
送受信部２１０は、有線ネットワークまたは、無線ネットワークと接続し、データの送受信を行う。送受信部２１０は受信部の一例である。
【００２２】
ＣＰＵ２２０は、送受信部２１０を介して、撮影装置１２０の送信する映像データの受信状況を確認し、撮影装置１２０の伝送ビットレートを決定し、送信指示する。ＣＰＵ２２０は、サーバー制御部の一例である。
【００２３】
伸長部２３０は、送受信部２１０によって得られた撮影装置１２０からの映像データをデコードし、表示装置２６０へ映像を表示させる。
【００２４】
メモリ２４０は、撮影装置から受信する映像データ以外のデータ格納に使用される。例えば映像データや撮影装置のファームアップデート用のファームウェアである。
【００２５】
入力部２５０は、ユーザーの指示を受け付ける機能を有する。例えば、ボタンやタッチパネル、キーボード、マウスなどがある。
【００２６】
［１−２．動作］
以上のように構成された撮影装置１２０とサーバー１１０について、その動作を以下説明する。
【００２７】
［１−２−１．ファームアップデート要求による上限ビットレートの変更］
図４は、実施の形態１におけるネットワーク帯域の変動を示したグラフである。図４に示す区間ｘ１、ｘ２は、映像データが送信されている定常時の状態を示し、区間ｔは、映像データとともにファームウェアが送信されている状態を示している。図５は、実施の形態１における撮影装置とサーバーの動作を説明するフローチャートである。
【００２８】
定常時、撮影装置１２０は、サーバー１１０に対して映像データの送信を行っている（Ｓ５０１）。このとき、映像データを受信するサーバー１１０は、受信した映像データの受信状況に基づきＣＰＵ２２０にてビットレート演算を行い、サーバー１１０の送受信部２１０を介して、撮影装置１２０へビットレート情報を送信している（Ｓ５０２）。そして、撮影装置１２０は、サーバー１１０からフィードバックされたビットレート情報に基づいて、映像データの圧縮率を定め、圧縮された映像データをサーバーに送信する。こうして、図４の区間ｘ１に示すように、送信される映像データの伝送ビットレートは変動している。
【００２９】
このとき、サーバー１１０のメモリ２４０に撮影装置１２０の新規ファームウェアが格納されたとする（Ｓ５０３）。サーバー１１０は、メモリ２４０に撮影装置１２０の新規ファームウェアが格納されたことを検出すると、撮影装置１２０に対して、ファームウェア更新の要求を行う。
【００３０】
撮影装置１２０は、サーバー１１０からのファームウェア更新の要求を受信し、最大帯域検出部１９０で伝送ビットレートを検出する（Ｓ５０４）。撮影装置１２０のＣＰＵ１７０は、ファームウェアの受信に必要なネットワーク帯域を確保するために、映像データの圧縮率である上限ビットレートを算出し、圧縮部１５０へ映像データの圧縮率の変更要求を行う（Ｓ５０５）。
【００３１】
このとき、変更される圧縮率は、図４の区間ｔに示すように所定の時間にてファームウェアを受信するために必要なネットワーク帯域分を考慮して、決定される。結果的に、撮影装置１２０から送信される映像データは、ネットワークの最大帯域に対して、伝送ビットレートを下げた状態（高圧縮）で送信される事となる。
【００３２】
その後、サーバー１１０は、映像データの伝送ビットレートが下がったことにより生じた分の帯域を活用して、図４の区間ｔで撮影装置の新規ファームウェアの送信を行う（Ｓ５０６）。
【００３３】
その後、サーバー１１０は、ファームウェアの送信が完了すると、ファームウェアの送信完了の通知を撮影装置１２０に送信する（Ｓ５０７）。
【００３４】
ファームウェアの送信完了の通知を受信した撮影装置１２０は、完了通知を検知すると、撮影装置のＣＰＵ１７０より圧縮部１５０に圧縮率の変更指示を行い、映像データの圧縮率を図４の区間ｘ２のように元の定常的な上限ビットレートへと戻す（Ｓ５０８）。
【００３５】
［１−３．実施の形態１の作用及び効果］
実施の形態１に係る映像伝送システムは、撮影装置からサーバーへ映像データ（第１の映像データに相当）を送信しつつ、映像データ以外のデータである新規ファームウェアを優先的にサーバーから撮影装置へ送信する場合において有効である。
【００３６】
（実施の形態２）
以下、図６を用いて、実施の形態２を説明する。
【００３７】
［２−１．構成］
［２−１−１．ネットワーク接続構成］
実施の形態２に係る映像伝送システム１０のネットワーク接続構成は、実施の形態１と同様であるため、重複した説明は省略する。
【００３８】
［２−１−２．撮影装置の構成］
実施の形態２に係る撮影装置１２０は、実施の形態１と同様の構成であるため、重複した説明は省略する。
【００３９】
［２−１−３．サーバーの構成］
実施の形態２に係るサーバー１１０は、実施の形態１と同様の構成であるため、重複した説明は省略する。
【００４０】
［２−２．動作］
以上のように構成された撮影装置１２０とサーバー１１０について、その動作を以下説明する。
【００４１】
［２−２−１．データ送信要求による上限ビットレートの変更］
図６は、実施の形態２における撮影装置とサーバーの動作を説明するためのフローチャートである。
【００４２】
定常時、撮影装置１２０は、サーバー１１０に対して映像データとして第１の映像データの送信を行っている（Ｓ６０１）。このとき、第１の映像データを受信するサーバー１１０は、受信した第１の映像データの受信状況に基づきＣＰＵ２２０にてビットレート演算を行い、サーバー１１０の送受信部２１０を介して、撮影装置１２０へビットレート情報を送信している（Ｓ６０２）。このような定常時の状態は、実施の形態１と同様である。
【００４３】
このとき、サーバー１１０の入力部２５０にユーザー指示により第２の映像データの送信要求が行われたとする（Ｓ６０３）。サーバー１１０は、入力部２５０からユーザー指示を検出すると、撮影装置１２０に対して、第２の映像データの受信要求を行う。
【００４４】
撮影装置１２０は、サーバー１１０からの第２の映像データの受信要求を受信し、最大帯域検出部１９０で伝送ビットレートを検出する（Ｓ６０４）。撮影装置１２０のＣＰＵ１７０は、第２の映像データの受信に必要なネットワーク帯域を確保するために、第１の映像データの圧縮率である上限ビットレートを算出し、圧縮部１５０へ第１の映像データの圧縮率の変更要求を行う（Ｓ６０５）。
【００４５】
このとき、変更される圧縮率は、図４の区間ｔに示すファームウェアを送信する場合と同様に、所定の時間にて第２の映像データを受信するために必要なネットワーク帯域分を考慮して、決定される。結果的に、撮影装置１２０から送信される第１の映像データは、ネットワーク１００の最大帯域に対して、伝送ビットレートを下げた状態（高圧縮）で送信される事となる。
【００４６】
その後、サーバー１１０は、第１の映像データの伝送ビットレートが下がったことにより生じた分の帯域を活用して、図４の区間ｔの場合と同様に、撮影装置１２０に対して、メモリ２４０に保存されている第２の映像データの送信を行う（Ｓ６０６）。
【００４７】
その後、サーバー１１０は、第２の映像データの送信が完了すると、第２の映像データの送信完了の通知を撮影装置１２０に送信する（Ｓ６０７）。
【００４８】
第２の映像データの送信完了の通知を受信した撮影装置は、完了通知を検知すると、撮影装置のＣＰＵ１７０より圧縮部１５０に圧縮率の変更指示を行い、第１の映像データの圧縮率を図４の区間ｘ２のように元の定常的な上限ビットレートへと戻す（Ｓ６０８）。
【００４９】
［２−３．実施の形態２の作用及び効果］
実施の形態２に係る映像伝送システムは、撮影装置からサーバーへ第１の映像データを送信しつつ、第１の映像データ以外のデータである第２の映像データを優先的にサーバーから撮影装置へ送信する場合において有効である。
【００５０】
（実施の形態３）
以下、図７を用いて、実施の形態３を説明する。
【００５１】
［３−１．構成］
［３−１−１．ネットワーク接続構成］
実施の形態３に係る映像伝送システム１０のネットワーク接続構成は、実施の形態１と同様であるため、重複した説明は省略する。
【００５２】
［３−１−２．撮影装置の構成］
実施の形態３に係る撮影装置１２０は、実施の形態１と同様の構成であるため、重複した説明は省略する。
【００５３】
［３−１−３．サーバーの構成］
実施の形態３に係るサーバー１１０は、実施の形態１と同様の構成であるため、重複した説明は省略する。
【００５４】
［３−２．動作］
以上のように構成された撮影装置１２０とサーバー１１０について、その動作を以下説明する。
【００５５】
［３−２−１．データ受信要求による上限ビットレートの変更］
図７は、実施の形態３における撮影装置とサーバーの動作を説明するフローチャートである。
【００５６】
定常時、撮影装置１２０は、サーバー１１０に対して映像データとして第１の映像データの送信を行っている（Ｓ７０１）。このとき、第１の映像データを受信するサーバー１１０は、受信した第１の映像データの受信状況に基づきＣＰＵ２２０にてビットレート演算を行い、サーバー１１０の送受信部２１０を介して、撮影装置１２０へビットレート情報を送信している（Ｓ７０２）。このような定常時の状態は、実施の形態１と同様である。
【００５７】
このとき、サーバー１１０の入力部２５０にユーザー指示によりデータ受信要求が行われたとする。（Ｓ７０３）。サーバー１１０は、入力部２５０からユーザー指示を検出すると、撮影装置１２０に対して、第２の映像データの送信要求を行う。
【００５８】
撮影装置１２０は、サーバー１１０からの第２の映像データの送信要求を受信し、最大帯域検出部１９０で伝送ビットレートを検出する（Ｓ７０４）。撮影装置１２０のＣＰＵ１７０は、第２の映像データの送信に必要なネットワーク帯域を確保するために、第１の映像データの圧縮率である上限ビットレートを算出し、圧縮部１５０へ第１の映像データの圧縮率の変更要求を行う（Ｓ７０５）。
【００５９】
このとき、変更される圧縮率は、図４の区間ｔに示すファームウェアを送信する場合と同様に、所定の時間にて第２の映像データを送信するために必要なネットワーク帯域分を考慮して、決定される。結果的に、撮影装置１２０から送信される第１の映像データは、ネットワーク１００の最大帯域に対して、伝送ビットレートを下げた状態（高圧縮）で送信される事となる。
【００６０】
その後、撮影装置１２０は、第１の映像データの伝送ビットレートが下がったことにより生じた分の帯域を活用して、図４の区間ｔの場合と同様に、サーバー１１０に対して、第２の映像データの送信を行う（Ｓ７０６）。撮影装置１２０は第２の映像データを記録するための記録部を有してもよい。
【００６１】
その後、撮影装置１２０は、第２の映像データの送信が完了すると、第２の映像データの送信完了の通知をサーバー１１０に送信する（Ｓ７０７）。
【００６２】
第２の映像データの送信完了の通知を送信した撮影装置１２０は、撮影装置１２０のＣＰＵ１７０より圧縮部１５０に圧縮率の変更指示を行い、第１の映像データの圧縮率を図４の区間ｘ２のように元の定常的な上限ビットレートへと戻す（Ｓ７０８）。
【００６３】
［３−３．実施の形態３の作用及び効果］
実施の形態３に係る映像伝送システムは、撮影装置からサーバーへ第１の映像データを送信しつつ、第１の映像データ以外のデータである第２の映像データを優先的に撮影装置からサーバーへ送信する場合において有効である。
【００６４】
（実施の形態４）
以下、図８を用いて、実施の形態４を説明する。
【００６５】
［４−１．構成］
［４−１−１．ネットワーク接続構成］
実施の形態４に係る映像伝送システム１０のネットワーク接続構成は、実施の形態１と同様であるため、重複した説明は省略する。
【００６６】
［４−１−２．撮影装置の構成］
実施の形態４に係る撮影装置１２０は、実施の形態１と同様の構成であるため、重複した説明は省略する。
【００６７】
［４−１−３．サーバーの構成］
実施の形態４に係るサーバー１１０は、実施の形態１と同様の構成であるため、重複した説明は省略する。
【００６８】
［４−２．動作］
以上のように構成された撮影装置１２０とサーバー１１０について、その動作を以下説明する。
【００６９】
［４−２−１．データ送信要求による上限ビットレートの変更］
図８は、実施の形態４における撮影装置とサーバーの動作を説明するためのフローチャートである。
【００７０】
定常時、撮影装置１２０は、サーバー１１０に対して映像データとして第１の映像データの送信を行っている（Ｓ８０１）。このとき、第１の映像データを受信するサーバー１１０は、受信した第１の映像データの受信状況に基づきＣＰＵ２２０にてビットレート演算を行い、サーバー１１０の送受信部２１０を介して、撮影装置１２０へビットレート情報を送信している（Ｓ８０２）。このような定常時の状態は、実施の形態１と同様である。
【００７１】
このとき、撮影装置１２０の入力部２００にユーザー指示により第２の映像データの送信要求が行われたとする（Ｓ８０３）。撮影装置１２０は、ユーザー指示により第２の映像データの送信要求がなされたら、最大帯域検出部１９０で伝送ビットレートを検出する（Ｓ８０４）。撮影装置１２０のＣＰＵ１７０は、第２の映像データの送信に必要なネットワーク帯域を確保するために、第１の映像データの圧縮率である上限ビットレートを算出し、圧縮部１５０へ第１の映像データの圧縮率の変更要求を行う（Ｓ８０５）。
【００７２】
このとき、変更される圧縮率は、図４の区間ｔに示すファームウェアを送信する場合と同様に、所定の時間にて第２の映像データを送信するために必要なネットワーク帯域分を考慮して、決定される。結果的に、撮影装置１２０から送信される第１の映像データは、ネットワーク１００の最大帯域に対して、伝送ビットレートを下げた状態（高圧縮）で送信される事となる。
【００７３】
その後、撮影装置１２０は、第１の映像データの伝送ビットレートが下がったことにより生じた分の帯域を活用して、図４の区間ｔの場合と同様に、サーバー１１０に対して、第２の映像データの送信を行う（Ｓ８０６）。撮影装置１２０は第２の映像データを記録するための記録部を有してもよい。
【００７４】
その後、撮影装置１２０は、第２の映像データの送信が完了すると、第２の映像データの送信完了の通知をサーバー１１０に送信する（Ｓ８０７）。
【００７５】
第２の映像データの送信完了の通知を送信した撮影装置１２０は、撮影装置１２０のＣＰＵ１７０より圧縮部１５０に圧縮率の変更指示を行い、第１の映像データの圧縮率を図４の区間ｘ２のように元の定常的な上限ビットレートへと戻す（Ｓ８０８）。
【００７６】
［４−３．実施の形態４の作用及び効果］
実施の形態４に係る映像伝送システムは、撮影装置からサーバーへ第１の映像データを送信しつつ、第１の映像データ以外のデータである第２の映像データを優先的に撮影装置からサーバーへ送信する場合において有効である。
【００７７】
（他の実施の形態）
以上のように、本出願において開示する技術の例示として、実施の形態１〜４を説明した。しかしながら、本開示における技術は、これに限定されず、変更、置き換え、付加、省略などを行った実施の形態にも適用できる。また、上記実施の形態１〜４で説明した各構成要素を組み合わせて、新たな実施の形態とすることも可能である。そこで、以下、他の実施の形態を例示する。
【００７８】
実施の形態１〜４では、撮影装置１２０がネットワーク１００を介してサーバー１１０と通信を行ったが、図９のように、撮影装置１２０はモバイルルータ２７０を経由してネットワーク１００と接続してもよく、モバイルネットワークを利用して映像伝送システム２０のシステムを構成しても良い。
【００７９】
実施の形態１〜４では、イメージセンサの一例としてＣＣＤイメージセンサを説明した。イメージセンサは、被写体像を撮像して画像データを生成するものであればよい。したがって、イメージセンサは、ＣＣＤイメージセンサに限定されない。ただし、イメージセンサとしてＣＣＤイメージセンサを用いれば、安価にイメージセンサを入手可能である。また、ＣＭＯＳイメージセンサをイメージセンサとして用いてもよい。イメージセンサとしてＣＭＯＳイメージセンサを用いれば、消費電力の抑制に有効である。
【００８０】
実施の形態１〜４では、情報を制御するコントローラとして、ＣＰＵ１７０を説明した。ＣＰＵ１７０は、撮影装置１２０を制御するものであれば、物理的にどのように構成してもよい。したがって、コントローラは、ＣＰＵ１７０に限定されない。ただし、プログラム可能なマイクロコンピュータを用いれば、プログラムの変更により処理内容を変更できるので、コントローラの設計の自由度を高めることができる。また、ＣＰＵ１７０は、ハードロジックで実現してもよい。ＣＰＵ１７０をハードロジックで実現すれば、処理速度の向上に有効である。コントローラは、１つの半導体チップで構成してもよいし、物理的に複数の半導体チップで構成してもよい。複数の半導体チップで構成する場合、特許請求の範囲に記載の各制御をそれぞれ別の半導体チップで実現してもよい。この場合、それらの複数の半導体チップで一つのＣＰＵ１７０を構成すると考えることができる。また、ＣＰＵ１７０は、半導体チップと別の機能を有する部材（コンデンサなど）とで構成してもよい。また、ＣＰＵ１７０の機能とそれ以外の機能とを実現するように、１つの半導体チップを構成するようにしてもよい。
【００８１】
実施の形態１〜４では、サーバー１１０にて第１の映像データの受信状況を確認し、サーバー１１０のＣＰＵ２２０にてビットレート演算を行い、撮影装置１２０へビットレート情報の送信を行ったが、これに限った物ではない。例えば、撮影装置１２０の送受信部１６０が無線ネットワークにて構成されている場合、無線ネットワークの電波状態に基づく帯域情報を基に、撮影装置１２０にて伝送ビットレートを算出しても良い。
【００８２】
実施の形態１では、図４に示す区間ｔにてファームウェアを送信するために、ファームウェアの送信のために必要なネットワーク帯域を算出し、撮影装置１２０の圧縮部１５０へ圧縮率の設定を行ったが、ネットワーク帯域に対して、ファームウェアの送信帯域が不足している場合は、映像データ伝送のために必要な最低伝送ビットレートになるよう、圧縮率を設定し、残りのネットワーク帯域にてファームウェアの送信帯域を確保しても良い。
【００８３】
なお、上述の実施の形態は、本開示における技術を例示するためのものであるから、特許請求の範囲またはその均等の範囲において種々の変更、置き換え、付加、省略などを行うことができる。
【産業上の利用可能性】
【００８４】
本開示は、撮影装置およびサーバーで構成される映像伝送システムに適用可能である。具体的には、ウエアラブルカメラ、デジタルスチルカメラ、ムービー、カメラ機能付き携帯電話機、スマートフォンなどに、本開示は適用可能である。
【符号の説明】
【００８５】
１０，２０    映像伝送システム
１００    ネットワーク
１１０    サーバー
１２０    撮影装置
１３０    ＣＣＤ
１４０    Ａ／Ｄコンバータ
１５０    圧縮部
１６０    送受信部
１７０    ＣＰＵ
１８０    無線部
１９０    最大帯域検出部
２００    入力部
２１０    送受信部
２２０    ＣＰＵ
２３０    伸長部
２４０    メモリ
２５０    入力部
２６０    表示装置
【図１】
2018088674.tif 000003
【図２】
2018088674.tif 000004
【図３】
2018088674.tif 000005
【図４】
2018088674.tif 000006
【図５】
2018088674.tif 000007
【図６】
2018088674.tif 000008
【図７】
2018088674.tif 000009
【図８】
2018088674.tif 000010
【図９】
2018088674.tif 000011